(57)【要約】【課題】屋内面材の熱反り変形を助長するおそれを低減することができる戸体およびこれを備えた建具を提供すること。【解決手段】扉は、金属製の屋外面材５１と、金属製の屋内面材５２と、断熱芯材５３と、屋外面材５１および屋内面材５２の間に配置された骨材５４と、骨材５４に取り付けられたエッジ材５５とを備える。屋内面材５２は、屋内面部５２１と、屋内面部５２１から屋外側に折曲された屋内縦見込み片部５２２Ｄとを有する。屋内縦見込み片部５２２Ｄは、エッジ材５５とともに扉５の見込み面を構成している。エッジ材５５は、屋内面部５２１に対して屋外側に位置している。【選択図】図３
2019108672.tif 000002
【特許請求の範囲】
【請求項１】
建具枠に対して開閉可能に取り付けられる戸体であって、
断熱芯材と、
前記断熱芯材の屋外側に設けられた金属製の屋外面材と、
前記断熱芯材の屋内側に設けられた金属製の屋内面材と、
前記屋外面材および前記屋内面材の間に配置された骨材と、
前記骨材に取り付けられた縦部材と、を備えており、
前記屋内面材は、屋内面部と、前記屋内面部から屋外側に折曲された屋内縦見込み片部とを有しており、
前記屋内縦見込み片部は、前記縦部材とともに前記戸体の見込み面を構成しており、
前記縦部材は、前記屋内面部に対して屋外側に位置している
ことを特徴とする戸体。
【請求項２】
請求項１に記載の戸体において、
前記骨材は、樹脂骨材と、金属骨材とによって構成されており、
前記樹脂骨材は、前記屋外面材の屋外面部に沿って配置された樹脂屋外片部と、前記屋内面材の屋内面部に沿って配置された樹脂屋内片部と、前記樹脂屋外片部および前記樹脂屋内片部に連続した樹脂見込み片部とを有しており、
前記金属骨材は、前記樹脂屋外片部および前記樹脂屋内片部の間において前記樹脂見込み片部に沿って配置された平鋼によって構成されており、
前記樹脂骨材には、前記平鋼の屋内縁部および屋外縁部のうちの少なくとも一方を保持する保持溝が形成されている
ことを特徴とする戸体。
【請求項３】
請求項１に記載の戸体において、
前記骨材は、樹脂骨材と、金属骨材とによって構成されており、
前記樹脂骨材は、前記屋外面材の屋外面部に沿って配置された樹脂屋外片部と、前記屋内面材の屋内面部に沿って配置された樹脂屋内片部と、前記樹脂屋外片部および前記樹脂屋内片部に連続した樹脂見込み片部とを有しており、
前記樹脂骨材には、前記金属骨材を保持する保持溝を前記樹脂見込み片部との間に形成する溝形成片部が形成されており、
前記溝形成片部は、前記樹脂屋外片部および前記樹脂屋内片部のうちの一方との間に配線を配置可能な空間を形成している
ことを特徴とする戸体。
【請求項４】
請求項１に記載の戸体において、
前記骨材は、樹脂骨材と、金属骨材とによって構成されており、
前記樹脂骨材は、前記屋外面材の屋外面部に沿って配置された樹脂屋外片部と、前記屋内面材の屋内面部に沿って配置された樹脂屋内片部と、前記樹脂屋外片部および前記樹脂屋内片部に連続した樹脂見込み片部とを有しており、
前記金属骨材は、前記樹脂屋外片部に沿って配置される金属屋外片部および前記樹脂屋内片部に沿って配置される金属屋内片部のうちの一方の金属片部と、前記一方の金属片部に連続していると共に前記樹脂見込み片部に沿って配置された金属見込み片部とを有している
ことを特徴とする戸体。
【請求項５】
請求項１に記載の戸体において、
前記骨材は、樹脂骨材と、金属骨材とによって構成されており、
前記樹脂骨材は、前記屋外面材の屋外面部に沿って配置された樹脂屋外片部と、前記屋内面材の屋内面部に沿って配置された樹脂屋内片部と、前記樹脂屋外片部および前記樹脂屋内片部に連続した樹脂見込み片部とを有しており、
前記金属骨材は、前記樹脂屋外片部に沿って配置された金属屋外片部と、前記樹脂屋内片部に沿って配置された金属屋内片部と、前記金属屋外片部および前記金属屋内片部に連続していると共に前記樹脂見込み片部に沿って配置された金属見込み片部とを有している
ことを特徴とする戸体。
【請求項６】
請求項１に記載の戸体において、
前記骨材は、前記屋外面材の屋外面部に沿って配置された金属屋外片部と、前記屋内面材の屋内面部に沿って配置された金属屋内片部と、前記金属屋外片部および前記金属屋内片部に連続した金属見込み片部とを有している
ことを特徴とする戸体。
【請求項７】
請求項１に記載の戸体において、
前記屋内面材は、前記屋内縦見込み片部から前記骨材に向けて折曲された内側片部と、前記内側片部から屋外側に延出した延出見込み片部とを有しており、
前記延出見込み片部の屋外縁部は、前記骨材および前記縦部材の間に配置されており、
前記縦部材は、前記内側片部に対して屋外側に位置している
ことを特徴とする戸体。
【請求項８】
請求項１に記載の戸体において、
前記屋外面材は、屋外面部と、前記屋外面部から屋内側に向けて折曲された屋外縦見込み片部とを有しており、
前記屋内面材は、前記屋内縦見込み片部から前記骨材に向けて折曲された内側片部を有しており、
前記縦部材は、前記内側片部に対して屋外側に位置しており、
前記屋外縦見込み片部は、前記縦部材よりも屋内側に延出していると共に屋内縁部が前記骨材および前記内側片部間に配置されている
ことを特徴とする戸体。
【請求項９】
建具枠と、前記建具枠に対して開閉可能に取り付けられた請求項１から請求項８のいずれか一項に記載の戸体とを備えており、
前記建具枠には、前記戸体の屋内面に当接する戸当り部が形成されている
ことを特徴とする建具。
【発明の詳細な説明】
【技術分野】
【０００１】
本発明は、建物の玄関、勝手口等に用いられる戸体およびこれを備えた建具に関する。
【背景技術】
【０００２】
従来、建具として、ドア枠にヒンジを介して扉（戸体）を開閉可能に取り付けた断熱ドアが知られている（特許文献１参照）。
扉は、枠組みしたチャンネル材（鋼材）の周囲に上枠材、下枠材、左右の室内側縦枠材および左右の室外側縦枠材を取り付け、これらの枠材に室内側表面板（屋内面材）および外側表面板（屋外面材）を取り付け、室内側縦枠材および室外側縦枠材に亘って縦部材をそれぞれ取り付けてあり、発泡ウレタン等の断熱材を内部に充填した断熱扉として構成されている。
【先行技術文献】
【特許文献】
【０００３】
【特許文献１】特開平１０−３７５９５号公報
【発明の概要】
【発明が解決しようとする課題】
【０００４】
ところで、特許文献１に記載の断熱ドアでは、扉の室内側表面板の左右両縁部は、屋外側に折曲した形状とされてチャンネル材および縦部材の間にそれぞれ差し込まれている。このため、室内（屋内）火災時に室内側表面板が加熱されると、室内側表面板が上下方向だけでなく左右方向にも熱伸びを生じるが、室内側表面板の左右両縁部が左右の縦部材に当たるので左右への熱伸びが抑制される。このように左右方向への熱伸びが抑制されると、室内側表面板の熱反り変形が助長されるおそれがある。
【０００５】
本発明の目的は、屋内面材の熱反り変形を助長するおそれを低減することができる戸体およびこれを備えた建具を提供することにある。
【課題を解決するための手段】
【０００６】
本発明の戸体は、建具枠に対して開閉可能に取り付けられる戸体であって、断熱芯材と、前記断熱芯材の屋外側に設けられた金属製の屋外面材と、前記断熱芯材の屋内側に設けられた金属製の屋内面材と、前記屋外面材および前記屋内面材の間に配置された骨材と、前記骨材に取り付けられた縦部材と、を備えており、前記屋内面材は、屋内面部と、前記屋内面部から屋外側に折曲された屋内縦見込み片部とを有しており、前記屋内縦見込み片部は、前記縦部材とともに前記戸体の見込み面を構成しており、前記縦部材は、前記屋内面部に対して屋外側に位置していることを特徴とする。
本発明の戸体によれば、エッジ材等の縦部材は屋内面部に対して屋外側に位置しているので、屋内火災時に屋内面材が加熱されて上下方向だけでなく左右方向にも熱伸びを生じる場合、屋内面材が縦部材に当たって左右方向への熱伸びが阻害されることがなく、屋内面材の左右方向への熱伸びの抑制に起因して屋内面材の熱反りが助長されるおそれを低減することができる。
【０００７】
本発明の戸体では、前記骨材は、樹脂骨材と、金属骨材とによって構成されており、前記樹脂骨材は、前記屋外面材の屋外面部に沿って配置された樹脂屋外片部と、前記屋内面材の屋内面部に沿って配置された樹脂屋内片部と、前記樹脂屋外片部および前記樹脂屋内片部に連続した樹脂見込み片部とを有しており、前記金属骨材は、前記樹脂屋外片部および前記樹脂屋内片部の間において前記樹脂見込み片部に沿って配置された平鋼によって構成されており、前記樹脂骨材には、前記平鋼の屋内縁部および屋外縁部のうちの少なくとも一方を保持する保持溝が形成されていてもよい。
このような構成によれば、屋外面材および金属骨材の間には樹脂屋外片部が位置し、屋内面材および金属骨材の間には樹脂屋内片部が位置し、更に、金属骨材の屋内縁部および屋外縁部のうちの少なくとも一方が保持溝に保持されるのでリベット等によって屋外面材および屋内面材のうちの少なくとも一方と締結する必要がない。このため、金属骨材が屋外面材および屋内面材間の熱橋となることがなくなり、断熱性を向上することができる。
また、平鋼が樹脂見込み片部に沿って配置されているので、金属骨材の見込み寸法を大きくとることができて、戸体の面外方向への変形を強く抑制することができる。更に、金属骨材が樹脂見込み片部に沿って配置された平鋼であるので、例えば金属骨材がチャンネル鋼である場合と比べて、樹脂屋外片部および樹脂屋内片部の撓み変形を拘束する面積を小さくすることができ、樹脂屋外片部および樹脂屋内片部の樹脂見込み片部に対するある程度の撓み変形を許容できる。これにより、左右方向において屋外面材および屋内面材に熱伸び差が生じても、樹脂屋外片部および樹脂屋内片部が撓み変形するので、骨材が屋内面材の左右方向への熱伸びを抑制するおそれを低減することができる。
【０００８】
本発明の戸体では、前記骨材は、樹脂骨材と、金属骨材とによって構成されており、前記樹脂骨材は、前記屋外面材の屋外面部に沿って配置された樹脂屋外片部と、前記屋内面材の屋内面部に沿って配置された樹脂屋内片部と、前記樹脂屋外片部および前記樹脂屋内片部に連続した樹脂見込み片部とを有しており、前記樹脂骨材には、前記金属骨材を保持する保持溝を前記樹脂見込み片部との間に形成する溝形成片部が形成されており、前記溝形成片部は、前記樹脂屋外片部および前記樹脂屋内片部のうちの一方との間に配線を配置可能な空間を形成していてもよい。
このような構成によれば、前述した溝形成片部を樹脂骨材に形成するだけで、金属骨材を保持する保持溝と配線を配置可能な空間との双方を形成することができる。
【０００９】
本発明の戸体では、前記骨材は、樹脂骨材と、金属骨材とによって構成されており、前記樹脂骨材は、前記屋外面材の屋外面部に沿って配置された樹脂屋外片部と、前記屋内面材の屋内面部に沿って配置された樹脂屋内片部と、前記樹脂屋外片部および前記樹脂屋内片部に連続した樹脂見込み片部とを有しており、前記金属骨材は、前記樹脂屋外片部に沿って配置される金属屋外片部および前記樹脂屋内片部に沿って配置される金属屋内片部のうちの一方の金属片部と、前記一方の金属片部に連続していると共に前記樹脂見込み片部に沿って配置された金属見込み片部とを有していてもよい。
このような構成によれば、屋外面材および金属骨材の間には樹脂屋外片部が位置し、屋内面材および金属骨材の間には樹脂屋内片部が位置しているので、屋内外間の断熱性を向上することができる。また、金属見込み片部が樹脂見込み片部に沿って配置されているので、金属骨材の見込み寸法を大きくとることができて、戸体の面外方向への変形を強く抑制することができる。更に、例えば金属骨材がチャンネル鋼である場合と比べて、樹脂屋外片部および樹脂屋内片部のうちのいずれかの樹脂片部の撓み変形を拘束する面積を小さくすることができ、この樹脂片部の樹脂見込み片部に対するある程度の撓み変形を許容できる。これにより、左右方向において屋外面材および屋内面材に熱伸び差が生じても、前記樹脂片部が撓み変形するので、骨材が屋内面材の左右方向への熱伸びを抑制するおそれを低減することができる。
【００１０】
本発明の戸体では、前記骨材は、樹脂骨材と、金属骨材とによって構成されており、前記樹脂骨材は、前記屋外面材の屋外面部に沿って配置された樹脂屋外片部と、前記屋内面材の屋内面部に沿って配置された樹脂屋内片部と、前記樹脂屋外片部および前記樹脂屋内片部に連続した樹脂見込み片部とを有しており、前記金属骨材は、前記樹脂屋外片部に沿って配置された金属屋外片部と、前記樹脂屋内片部に沿って配置された金属屋内片部と、前記金属屋外片部および前記金属屋内片部に連続していると共に前記樹脂見込み片部に沿って配置された金属見込み片部とを有していてもよい。
このような構成によれば、屋外面材および金属骨材の間には樹脂屋外片部が位置し、屋内面材および金属骨材の間には樹脂屋内片部が位置しているので、屋内外間の断熱性を向上することができる。また、金属見込み片部が樹脂見込み片部に沿って配置されているので、金属骨材の見込み寸法を大きくとることができて、戸体の面外方向への変形を強く抑制することができる。
【００１１】
本発明の戸体では、前記骨材は、前記屋外面材の屋外面部に沿って配置された金属屋外片部と、前記屋内面材の屋内面部に沿って配置された金属屋内片部と、前記金属屋外片部および前記金属屋内片部に連続した金属見込み片部とを有していてもよい。
このような構成によれば、屋外面部に沿った金属屋外片部と屋内面部に沿った金属屋内面部とにわたって金属見込み片部が配置されるので、金属骨材の見込み寸法を大きくとることができ、戸体の面外方向への変形を強く抑制することができる。骨材樹脂骨材
【００１２】
本発明の戸体では、前記屋内面材は、前記屋内縦見込み片部から前記骨材に向けて折曲された内側片部と、前記内側片部から屋外側に延出した延出見込み片部とを有しており、前記延出見込み片部の屋外縁部は、前記骨材および前記縦部材の間に配置されており、前記縦部材は、前記内側片部に対して屋外側に位置していてもよい。
このような構成によれば、縦部材および屋内面材によって骨材を覆うことができ、意匠性を向上することができる。また、延出見込み片部の屋外縁部が骨材および縦部材の間に配置されるだけであるので、前述した屋内面材の左右方向への熱伸びをほとんど抑制しない。更に、縦部材および内側片部の間に錠ケースなどの付属部品を配置可能な空間を形成することができる。
【００１３】
本発明の戸体では、前記屋外面材は、屋外面部と、前記屋外面部から屋内側に向けて折曲された屋外縦見込み片部とを有しており、前記屋内面材は、前記屋内縦見込み片部から前記骨材に向けて折曲された内側片部を有しており、前記縦部材は、前記内側片部に対して屋外側に位置しており、前記屋外縦見込み片部は、前記縦部材よりも屋内側に延出していると共に屋内縁部が前記骨材および前記内側片部間に配置されていてもよい。
このような構成によれば、屋外見込み片部の屋内縁部を内側片部で覆うことで小口を隠すことができ、意匠性を向上することができる。更に、縦部材および内側片部の間に錠ケースなどの付属部品を配置可能な空間を形成することができる。
【００１４】
本発明の建具は、建具枠と、前記建具枠に対して開閉可能に取り付けられた前述した本発明の戸体とを備えており、前記建具枠には、前記戸体の屋内面に当接する戸当り部が形成されていることを特徴とする。
本発明の建具によれば、前述した本発明の戸体と同様の作用効果を発揮可能な建具を構成することができる。
【発明の効果】
【００１５】
本発明によれば、屋内面材の熱反り変形を助長するおそれを低減することができる戸体およびこれを備えた建具を提供することができる。
【図面の簡単な説明】
【００１６】
【図１】本発明の第１実施形態に係るドアを示す縦断面図。
【図２】第１実施形態に係るドア示す横断面図。
【図３】第１実施形態に係るドアの要部を示す横断面図。
【図４】本発明の第２実施形態に係るドアの要部を示す横断面図。
【図５】本発明の第３実施形態に係るドアの要部を示す横断面図。
【図６】本発明の第４実施形態に係るドアの要部を示す横断面図。
【図７】本発明の第５実施形態に係るドアの要部を示す横断面図。
【図８】本発明の第６実施形態に係るドアの要部を示す横断面図。
【図９】本発明の第７実施形態に係るドアの要部を示す横断面図。
【発明を実施するための形態】
【００１７】
［第１実施形態］
以下、本発明の第１実施形態を図面に基づいて説明する。
図１〜２において、第１実施形態に係る建具としてのドア１は、いわゆる片開きであり、建物の外壁開口部に固定される建具枠であるドア枠２と、ドア枠２に開閉可能に支持される戸体である扉５とを備えている。
以下の説明において、ドア１の左右方向をＸ軸方向とし、上下方向をＹ軸方向とし、Ｚ軸方向を屋内外方向（奥行方向）とする。Ｘ，Ｙ，Ｚ軸方向は互いに直交している。
【００１８】
ドア枠２は、上枠１０、下枠２０および左右の縦枠３０，４０を有している。図２の左側に配置される縦枠３０が吊元側とされてヒンジ４が取り付けられており、図２の右側に配置される縦枠４０が戸先側とされている。ヒンジ４は、旗丁番などによって構成されている。
【００１９】
上枠１０は、図１に示すように、屋外部材１１および屋内部材１２をウレタン樹脂等の断熱材１３で連結して構成された断熱形材であり、屋外部材１１および屋内部材１２が図示略の躯体に固定される。屋外部材１１は、中空枠形状とされたアルミ押出形材であり、Ｚ軸方向に沿った見込み片部１１３を有している。屋内部材１２は、アルミ押出形材であり、Ｚ軸方向に沿った見込み片部１２１と、扉５の屋内面に対する屋内見付け面を構成する戸当り部１２２とを有している。戸当り部１２２は、見込み片部１２１に連続した溝形成部１２３と、溝形成部１２３に係合したタイト材１５とを有しており、溝形成部１２３によって形成された溝部には、熱膨張耐火材９が配置されている。タイト材１５は、扉５の屋内面に当接して屋内外間の水密性、気密性を保っている。
【００２０】
下枠２０は、アルミ押出形材で構成されており、図１に示すように、Ｚ軸方向に沿った見込み片部２１３と、扉５の屋内面に対する屋内見付け面を構成する戸当り部２２２とを有している。戸当り部２２２は、見込み片部２１３に連続した溝形成部２２３と、溝形成部２２３に係合したタイト材２５とを有しており、溝形成部２２３によって形成された溝部には、熱膨張耐火材９が配置されている。下枠２０は、例えば、モルタルで納まるため、熱の出入りが少ない。このため、下枠２０は、上枠１０のようなアルミ断熱形材ではなく、屋外側から屋内側まで一体に形成されたアルミ押出形材で構成されている。下枠２０には、ゴム製の沓摺部２４が取り付けられている。下枠２０の屋内露出面は、沓摺部２４と後述するタイト材２５とによって被覆されている。
【００２１】
吊元側の縦枠３０および戸先側の縦枠４０は、図２に示すように、アルミ製の屋外部材３１，４１および屋内部材３２，４２を、ウレタン樹脂等の断熱材３３，４３で連結した断熱形材であり、上枠１０と同様に、屋外部材３１，４１と、屋内部材３２，４２とは、図示略の躯体に固定されている。屋外部材３１，４１は、中空枠形状とされており、Ｚ軸方向に沿った見込み片部３１３，４１３を備えている。屋内部材３２，４２は、Ｚ軸方向に沿った見込み片部３２１，４２１と、扉５の屋内面に対する屋内見付け面を構成する戸当り部３２２，４２２とを有している。戸当り部３２２，４２２は、見込み片部３２１，４２１に連続した溝形成部３２３，４２３と、溝形成部３２３，４２３に係合したタイト材３５，４５とを有しており、溝形成部３２３，４２３によって形成された溝部には、熱膨張耐火材９が配置されている。
【００２２】
扉５は、縦長矩形状であり、図１，２に示すように、金属製の屋外面材５１と、金属製の屋内面材５２と、断熱芯材５３と、骨材５４と、アルミニウムなどの金属製のエッジ材５５（縦部材）とを備えている。屋外面材５１および屋内面材５２は、断熱芯材５３の屋外面および屋内面に接着剤で接着されて一体化されている。従って、扉５は、断熱芯材５３の屋外面および屋内面に、屋外面材５１、屋内面材５２を貼って平らに仕上げられたフラッシュドアタイプである。なお、扉５の戸先側には、図示略の操作ハンドルが設けられている。
屋外面材５１および屋内面材５２は鋼鈑で構成されている。屋外面材５１は、断熱芯材５３の屋外面に沿って配置されている。屋内面材５２は、断熱芯材５３の屋内面に沿って配置されている。断熱芯材５３は、ＥＰＳ（発泡ビーズ法ポリスチレン）製の断熱材で構成されている。なお、断熱芯材５３は、フェノール樹脂系の断熱材を用いてもよいし、ハニカム材（水酸化アルミハニカム、セラミックハニカム、ペーパーハニカム）、フォーム材（イソシアヌレートフォーム、ウレタンフォーム、フェノール樹脂フォーム）等の断熱材が使用されてもよい。骨材５４は、硬質の樹脂骨材５４１と、スチール等の金属骨材５４２とを備えた複合骨材によって構成されており、扉５の周囲に沿って四周枠組みされている。なお、戸先側の骨材５４には、戸先側の縦枠４０に設けられた錠受け７に係止されるラッチボルト６Ａやデッドボルト（図示略）等を出没可能に備える錠ケース６が取り付けられている。
【００２３】
屋外面材５１は、断熱芯材５３の屋外面に接着される屋外面部５１１と、屋外面部５１１の上下の各端縁からＺ軸方向において屋内側に折曲された屋外見込み片部５１３Ａ，５１３Ｂと、屋外面部５１１の左右の各端縁からＺ軸方向において屋内側に折曲された屋外縦見込み片部５１３Ｃ，５１３Ｄとを有している。
屋内面材５２は、断熱芯材５３の屋内面に接着される屋内面部５２１と、屋内面部５２１の上下の各端縁からＺ軸方向において屋外側に折曲された屋内見込み片部５２２Ａ，５２２Ｂと、屋内面部５２１の吊元側の端縁からＺ軸方向において屋外側に折曲された屋内縦見込み片部５２２Ｃと、屋内面部５２１の戸先側の端縁からＺ軸方向において屋外側に折曲された屋内縦見込み片部５２２Ｄと、屋内縦見込み片部５２２Ｄの屋外縁部からＺ軸方向において吊元側に折曲された内側片部５２３とを有している。
【００２４】
樹脂骨材５４１は、屋外面材５１の屋外面部５１１に沿って配置された樹脂屋外片部５４３と、屋内面材５２の屋内面部５２１に沿って配置された樹脂屋内片部５４４と、樹脂屋外片部５４３および樹脂屋内片部５４４に連続した樹脂見込み片部５４５とを有してチャンネル状に形成されている。樹脂屋外片部５４３には、屋内側に突出した突部５４３Ａが形成されており、突部５４３Ａは、樹脂見込み片部５４５との間に保持溝５４３Ｂを形成している。樹脂屋内片部５４４には、屋外側に突出した突部５４４Ａが形成されており、突部５４４Ａは、樹脂見込み片部５４５との間に保持溝５４４Ｂを形成している。
金属骨材５４２は、平鋼によって構成されており、その屋外縁部が保持溝５４３Ｂに配置されて保持されており、その屋内縁部が保持溝５４４Ｂに配置されて保持されている。樹脂骨材５４１、金属骨材５４２と屋外見込み片部５１３Ａ，５１３Ｂおよび屋外縦見込み片部５１３Ｃ，５１３Ｄとは、リベット、ネジ等の締結部材によって締結されている。また、樹脂骨材５４１、金属骨材５４２と屋内見込み片部５２２Ａ，５２２Ｂおよび屋内縦見込み片部５２２Ｃとは、リベット、ネジ等の締結部材によって締結されている。
【００２５】
エッジ材５５は、アルミニウムなどの金属製の押出形材で形成されており、戸先側の骨材５４との間に屋外縦見込み片部５１３Ｄを挟み込んでいる。このエッジ材５５は、リベットや接着材などによって戸先側の骨材５４に固定されている。
ここで、エッジ材５５の屋内縁部５５Ａは、図３に示すように屋内面部５２１よりも屋外側に位置しており、エッジ材５５の屋内縁部５５Ａは、骨材５４と屋内縦見込み片部５２２Ｄおよび内側片部５２３との間に位置している。屋内縦見込み片部５２２Ｄおよび内側片部５２３は、エッジ材５５の屋内縁部５５Ａに対してＸ軸方向における外側（縦枠４０側）に位置している。これにより、屋内面材５２の戸先側における側縁部は、エッジ材５５に邪魔されることなく戸先側に熱伸び可能な配置となっている。前述したエッジ材５５および屋内縦見込み片部５２２Ｄによって、縦枠４０の見込み面に対向する扉５の見込み面が構成されている。
【００２６】
以下、前述したドア１の火災時の作用について説明する。
屋内火災時には、屋内面材５２が主にＹ軸方向に熱伸びするため、扉５は弓なりに熱反りし、扉５の上端部や下端部は、扉５のＹ軸方向における中間部に対して屋外側に移動する。このため扉５の上端部や下端部とタイト材１５，２５，３５，４５との間の隙間は、熱反りしていない場合に比べて広くなる。ここで、屋内面材５２はＸ軸方向にも熱伸びするが、エッジ材５５が屋内面部５２１に対して屋外側に位置していると共にエッジ材５５の屋内縁部５５Ａよりも縦枠４０側に屋内縦見込み片部５２２Ｄおよび内側片部５２３が位置しているので、屋内面材５２のＸ軸方向への熱伸びはエッジ材５５に当たって抑制されることがない。このように、扉５は、屋内面材５２のＸ軸方向への熱伸びの抑制に起因して屋内面材５２の熱反りが助長されることがないので、屋内面材５２の上端部や下端部が戸当り部３２２，４２２から大きく離間することを抑制する。なお、屋内面材５２の吊元側の屋内縦見込み片部５２２Ｃはヒンジ４にリベット止めされているので、屋内面材５２はＸ軸方向において吊元側に熱伸びせず、自由端縁となっている戸先側に熱伸びする。
屋内火災によって屋内側が加熱されていくと、戸当り部１２２，２２２，３２２，４２２に配置された熱膨張耐火材９が発泡して熱膨張し、溝形成部１２３，２２３，３２３，４２３と屋内面部５２１との隙間や、見込み片部１１３，２１３，３１３，４１３と屋内見込み片部５２２Ａ，５２２Ｂおよび屋内縦見込み片部５２２Ｃ，５２２Ｄとの隙間に入り込み、これらの隙間を閉塞する。
また、屋外火災時には、扉５の熱反り向きは前述と逆向きとなる。このとき、扉５の中間部はラッチボルト６Ａやデッドボルトが錠受け７と係合しているので戸当り部３２２，４２２から離間せず、扉５の上端部や下端部は戸当り部１２２，２２２，３２２，４２２に接近するので、扉５の屋内面と戸当り部１２２，２２２，３２２，４２２との隙間は大きくならない。なお、この場合にも、熱膨張耐火材９が発泡して熱膨張し、ドア枠２と扉５との隙間を閉塞する。
【００２７】
［第１実施形態の効果］
（１）第１実施形態では、屋内縦見込み片部５２２Ｄがエッジ材５５とともに扉５の見込み面を構成しており、エッジ材５５が屋内面部５２１に対して屋外側に位置しているので、屋内火災時に屋内面材５２が加熱されてＹ軸方向だけでなくＸ軸方向にも熱伸びを生じる場合、屋内面材５２がエッジ材５５に当たってＸ軸方向への熱伸びが阻害されることがなく、屋内面材５２のＸ軸方向への熱伸びの抑制に起因して屋内面材５２の熱反りが助長されるおそれを低減することができる。
（２）骨材５４は、チャンネル状の樹脂骨材５４１と、平鋼からなる金属骨材５４２とによって構成されており、屋外面材５１および金属骨材５４２の間には樹脂屋外片部５４３が位置し、屋内面材５２および金属骨材５４２の間には樹脂屋内片部５４４が位置し、更に、金属骨材５４２の屋内縁部および屋外縁部が保持溝５４３Ｂ，５４４Ｂに保持されるので、リベット等によって屋外面材５１および屋内面材５２と締結しなくてもよい。第１実施形態では、骨材５４は、屋外面材５１にリベット止めされているが、屋内面材５２にはリベット止め等されていないので、金属骨材５４２が屋外面材５１および屋内面材５２間の熱橋となることがなく、断熱性を向上することができる。
また、金属骨材５４２が樹脂見込み片部５４５に沿って配置されているので、金属骨材５４２の見込み寸法を大きくとることができて、扉５のＺ軸方向（面外方向）への変形を強く抑制することができる。更に、金属骨材５４２が樹脂見込み片部５４５に沿って配置された平鋼であるので、例えば金属骨材５４２がチャンネル鋼である場合と比べて、樹脂屋外片部５４３および樹脂屋内片部５４４の撓み変形を拘束する面積を小さくすることができ、樹脂屋外片部５４３および樹脂屋内片部５４４の樹脂見込み片部５４５に対するある程度の撓み変形を許容できる。これにより、Ｘ軸方向において屋外面材５１および屋内面材５２に熱伸び差が生じても、樹脂屋外片部５４３および樹脂屋内片部５４４が撓み変形するので、骨材５４が屋内面材５２のＸ軸方向への熱伸びを抑制するおそれを低減することができる。
【００２８】
［第２実施形態］
以下、本発明の第２実施形態を図面に基づいて説明する。
第２実施形態に係るドア１Ｂは、第１実施形態に係るドア１と概略同様に構成されているが、図４に示すように、骨材５４に代えて骨材５４Ｂを備えている。
骨材５４Ｂは、骨材５４と同様に樹脂骨材５４１および金属骨材５４２によって構成されており、樹脂屋外片部５４３には、突部５４３Ａではなく溝形成片部５４３Ｃが形成されている。溝形成片部５４３Ｃは、突部５４３Ａよりも屋内側に長く延びていると共に、その屋内縁部が吊元側に折曲されて断面Ｌ字状に形成されている。
溝形成片部５４３Ｃは、樹脂見込み片部５４５との間に保持溝５４３Ｂを形成しており、この保持溝５４３Ｂは、第１実施形態における保持溝５４３Ｂよりも深さ寸法が大きくなっている。また、溝形成片部５４３Ｃは、樹脂屋外片部５４３との間に各種の配線を配置可能な空間５４３Ｄを形成している。
このような構成によれば、溝形成片部５４３Ｃを樹脂骨材５４１に形成するだけで、金属骨材５４２を保持する保持溝５４３Ｂと配線を配置可能な空間５４３Ｄとの双方を形成することができ、部品点数を増やすことなく骨材５４および断熱芯材５３間の空間を有効活用できる。
【００２９】
［第３実施形態］
以下、本発明の第３実施形態を図面に基づいて説明する。
第３実施形態に係るドア１Ｃは、第１実施形態に係るドア１と概略同様に構成されているが、図５に示すように、骨材５４に代えて骨材５４Ｃを備えている。
骨材５４Ｃは、樹脂骨材５４１と、金属骨材５４２Ｃとによって構成されている。骨材５４Ｃの樹脂骨材５４１においては、樹脂屋内片部５４４から突部５４４Ａの構成が省略されており、金属骨材５４２Ｃは、樹脂屋内片部５４４に沿って配置された金属屋内片部５４７と、金属屋内片部５４７に連続していると共に樹脂見込み片部５４５に沿って配置された金属見込み片部５４８とを有したＬ字鋼によって構成されている。
このような構成によれば、屋外面材５１および金属骨材５４２Ｃの間には樹脂屋外片部５４３が位置し、屋内面材５２および金属骨材５４２Ｃの間には樹脂屋内片部５４４が位置しているので、屋内外間の断熱性を向上することができる。また、金属見込み片部５４８が樹脂見込み片部５４５に沿って配置されているので、金属骨材５４２Ｃの見込み寸法を大きくとることができて、扉５のＺ軸方向への変形を強く抑制することができる。更に、例えば金属骨材がチャンネル鋼である場合と比べて、樹脂屋外片部５４３の撓み変形を拘束する面積を小さくすることができ、樹脂屋外片部５４３の樹脂見込み片部５４５に対するある程度の撓み変形を許容できる。これにより、Ｘ軸方向において屋外面材５１および屋内面材５２に熱伸び差が生じても、樹脂屋外片部５４３が撓み変形するので、骨材５４Ｃが屋内面材５２のＸ軸方向への熱伸びを抑制するおそれを低減することができる。
【００３０】
［第４実施形態］
以下、本発明の第４実施形態を図面に基づいて説明する。
第４実施形態に係るドア１Ｄは、第１実施形態に係るドア１と概略同様に構成されているが、図６に示すように、骨材５４に代えて骨材５４Ｄを備えている。
骨材５４Ｄは、樹脂骨材５４１と、金属骨材５４２Ｄとによって構成されている。骨材５４Ｄの樹脂骨材５４１においては、樹脂屋外片部５４３および樹脂屋内片部５４４から突部５４３Ａ，５４４Ａの構成が省略されており、金属骨材５４２Ｄは、樹脂屋外片部５４３に沿って配置された金属屋外片部５４６と、樹脂屋内片部５４４に沿って配置された金属屋内片部５４７と、金属屋外片部５４６および金属屋内片部５４７に連続していると共に樹脂見込み片部５４５に沿って配置された金属見込み片部５４８とを有したチャンネル鋼によって構成されている。
このような構成によれば、屋外面材５１および金属骨材５４２Ｄの間には樹脂屋外片部５４３が位置し、屋内面材５２および金属骨材５４２Ｄの間には樹脂屋内片部５４４が位置しているので、屋内外間の断熱性を向上することができる。また、金属見込み片部５４８が樹脂見込み片部５４５に沿って配置されているので、金属骨材５４２Ｄの見込み寸法を大きくとることができて、扉５のＺ軸方向への変形を強く抑制することができる。
【００３１】
［第５実施形態］
以下、本発明の第５実施形態を図面に基づいて説明する。
第５実施形態に係るドア１Ｅは、第１実施形態に係るドア１と概略同様に構成されているが、図７に示すように、骨材５４に代えて骨材５４Ｅを備えている。
骨材５４Ｅは、金属骨材５４２Ｄによって構成されており、樹脂部分を備えていない。金属屋外片部５４６は屋外面材５１の屋外面部５１１に沿って配置されており、金属屋内片部５４７は屋内面材５２の屋内面部５２１に沿って配置されている。
このような構成によれば、屋外面部５１１に沿った金属屋外片部５４６と屋内面部５２１に沿った金属屋内片部５４７とにわたって金属見込み片部５４８が配置されるので、金属骨材５４２Ｄの見込み寸法を大きくとることができ、扉５のＺ軸方向への変形を強く抑制することができる。また、骨材５４Ｅが屋外面材５１と屋内面材５２とをつなぐ金属部材であるので、樹脂骨材を備える場合と比べて断熱性は低くなるが、屋外面材５１および屋内面材５２との温度差を減らしてＸ軸方向への熱伸び差を小さくすることができる。
【００３２】
［第６実施形態］
以下、本発明の第６実施形態を図面に基づいて説明する。
第６実施形態に係るドア１Ｆは、第１実施形態に係るドア１と概略同様に構成されているが、図８に示すように、骨材５４に代えて骨材５４Ｂを備えており、屋内面材５２は、その内側片部５２３の端縁から屋外側に延出した延出見込み片部５２４を有しており、エッジ材５５に代えて見込み寸法が小さくされたエッジ材５５Ｆを備えている。
ここでの骨材５４Ｂの樹脂見込み片部５４５には、延出見込み片部５２４の屋外縁部５２４Ａを保持する保持溝５４５Ａが形成されている。屋外面材５１の屋外縦見込み片部５１３Ｄおよび延出見込み片部５２４の屋外縁部５２４Ａは、骨材５４Ｂおよびエッジ材５５Ｆの間に配置されている。また、エッジ材５５Ｆは、内側片部５２３に対して間隔を隔てて屋外側に配置されており、エッジ材５５Ｆおよび内側片部５２３間には錠ケース６のフロント部が配置されている。
このような構成によれば、エッジ材５５Ｆおよび屋内面材５２によって骨材５４Ｂを覆うことができ、意匠性を向上することができる。また、延出見込み片部５２４の屋外縁部５２４Ａが骨材５４Ｂおよびエッジ材５５Ｆの間に配置されるだけであるので、屋内面材５２のＸ軸方向への熱伸びをほとんど抑制しない。更に、エッジ材５５Ｆおよび内側片部５２３の間に錠ケース６などの付属部品を配置可能な空間を形成することができる。
【００３３】
［第７実施形態］
以下、本発明の第７実施形態を図面に基づいて説明する。
第７実施形態に係るドア１Ｇは、第１実施形態に係るドア１と概略同様に構成されているが、図９に示すように、エッジ材５５に代えて見込み寸法が小さくされたエッジ材５５Ｆを備えており、屋外面材５１の屋外縦見込み片部５１３Ｄがエッジ材５５よりも屋内側に延出していると共に屋内縁部５１５が骨材５４および内側片部５２３間に配置されている。エッジ材５５Ｆは、内側片部５２３に対して間隔を隔てて屋外側に位置している。
このような構成によれば、屋外縦見込み片部５１３Ｄの屋内縁部５１５を内側片部５２３で覆うことで小口を隠すことができ、意匠性を向上することができる。更に、エッジ材５５Ｆおよび内側片部５２３の間に錠ケース６などの付属部品を配置可能な空間を形成することができる。
【００３４】
［変形例］
本発明は、以上の実施形態で説明した構成のものに限定されず、本発明の目的を達成できる範囲での変形例は、本発明に含まれる。
例えば、第１実施形態では、樹脂骨材５４１には保持溝５４３Ｂ，５４４Ｂが形成されているが、保持溝５４３Ｂ，５４４Ｂのうちの一方の構成を省略してもよく、また双方の構成を省略してもよい。
第２実施形態では、溝形成片部５４３Ｃが樹脂屋外片部５４３に形成されているが、樹脂屋内片部５４４に形成されていてもよい。
第３実施形態では、金属骨材５４２Ｃは、金属屋内片部５４７および金属見込み片部５４８を有したＬ字鋼によって構成されているが、金属屋外片部５４６および金属見込み片部５４８を有したＬ字鋼によって構成されていてもよい。この場合、樹脂屋外片部５４３から突部５４３Ａの構成が省略される。
第１〜第５実施形態および第７実施形態では、屋内面材５２が内側片部５２３を有しているが、この構成を省略してもよい。
第６実施形態では骨材５４Ｂを備えており、第７実施形態では骨材５４を備えているが、これに限らず、骨材５４，５４Ｂ〜５４Ｅのいずれを備えていてもよい。
第１〜第７実施形態では、骨材を四周枠組みしているが、左右の骨材を備えて上下の骨材を省略してもよい。
前記実施形態では、片開きのドア１を建具として説明したが、これに限られず、戸当り部を有した建具枠に開閉可能に戸体が取り付けられるドアであればよい。
【符号の説明】
【００３５】
１，１Ｂ〜１Ｇ…ドア（建具）、１２２，２２２，３２２，４２２…戸当り部、２…ドア枠（建具枠）、５…扉（戸体）、５１…屋外面材、５１１…屋外面部、５１３Ｃ，５１３Ｄ…屋外縦見込み片部、５１５，５５Ａ…屋内縁部、５２…屋内面材、５２１…屋内面部、５２２Ｃ，５２２Ｄ…屋内縦見込み片部、５２３…内側片部、５２４…延出見込み片部、５２４Ａ…屋外縁部、５３…断熱芯材、５４，５４Ｂ〜５４Ｅ…骨材、５４１…樹脂骨材、５４２，５４２Ｃ，５４２Ｄ…金属骨材、５４３…樹脂屋外片部、５４３Ａ，５４４Ａ…突部、５４３Ｂ，５４４Ｂ，５４５Ａ…保持溝、５４３Ｃ…溝形成片部、５４３Ｄ…空間、５４４…樹脂屋内片部、５４５…樹脂見込み片部、５４６…金属屋外片部、５４７…金属屋内片部、５４８…金属見込み片部、５５，５５Ｆ…エッジ材、９…熱膨張耐火材。
【図１】
2019108672.tif 000003
【図２】
2019108672.tif 000004
【図３】
2019108672.tif 000005
【図４】
2019108672.tif 000006
【図５】
2019108672.tif 000007
【図６】
2019108672.tif 000008
【図７】
2019108672.tif 000009
【図８】
2019108672.tif 000010
【図９】
2019108672.tif 000011